【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
インクを吐出する複数の吐出口が所定方向に配列された吐出口列を有する記録ヘッドと記録媒体とを前記所定方向と交差する交差方向に相対的に移動させながら、第１の吐出口を使用する比率である第１の使用率と前記第１の吐出口と異なる第２の吐出口を使用する比率であり、前記第１の使用率より高い第２の使用率とに従って前記第１および第２の吐出口から同じ色のインクを吐出することにより単位領域に画像を記録するための前記使用率を決定する画像処理装置であって、
前記交差方向への同一の前記相対移動において、第１の単位領域への記録における前記第２の使用率より前記第１の単位領域への記録より後に行われる第２の単位領域への記録における前記第２の使用率が低くなるように前記第２の使用率を決定することを特徴とする画像処理装置。
【請求項２】
前記記録ヘッドおよび前記記録媒体は、前記交差方向を往方向、前記交差方向の逆の方向を復方向として相対的に往復移動することを特徴とする請求項１に記載の画像処理装置。
【請求項３】
前記交差方向への同一の相対移動において、前記第１の単位領域への記録における前記第１の使用率より前記第２の単位領域への記録における前記第１の使用率が高くなるように前記第１の使用率を決定することを特徴とする請求項２に記載の画像処理装置。
【請求項４】
前記記録ヘッドは、前記所定方向に連続する所定数の前記第１の吐出口と、前記所定方向に連続する所定数の前記第２の吐出口とが交互に配列された前記吐出口列を有することを特徴とする請求項１から３のいずれか１項に記載の画像処理装置。
【請求項５】
前記記録ヘッドおよび前記記録媒体は、前記記録ヘッドが前記記録媒体上の前記交差方向における一方の端部の前記単位領域に記録可能な位置から前記記録ヘッドが前記記録媒体上の前記交差方向における他方の端部の前記単位領域に記録可能な位置まで相対的に移動することを特徴とする請求項１から４のいずれか１項に記載の画像処理装置。
【請求項６】
前記記録媒体上の前記交差方向における前記他方の端部の前記単位領域への記録における前記第１の使用率と前記第２の使用率が等しいことを特徴とする請求項５に記載の画像処理装置。
【請求項７】
前記記録ヘッドは、インクを吐出するための熱を発生する発熱部を備え、
前記発熱部が発生させた熱によって前記吐出口から前記インクを吐出することを特徴とする請求項１から６のいずれか１項に記載の画像処理装置。
【請求項８】
前記記録ヘッドは、前記交差方向への同一の相対移動において、前記第１の単位領域に記録を行う際の温度より、前記第２の単位領域に記録を行う際の温度が高いことを特徴とする請求項１から７のいずれか１項に記載の画像処理装置。
【請求項９】
インクを吐出する複数の吐出口が所定方向に配列された吐出口列を有する記録ヘッドと記録媒体とを前記所定方向と交差する交差方向に相対的に移動させながら、第１の吐出口を使用する比率である第１の使用率と前記第１の吐出口と異なる第２の吐出口を使用する比率であり、前記第１の使用率より高い第２の使用率とに従って前記第１および第２の吐出口から同じ色のインクを吐出することにより単位領域に画像を記録するための前記使用率を決定する画像処理方法であって、
前記交差方向への同一の前記相対移動において、第１の単位領域への記録における前記第２の使用率より前記第１の単位領域への記録より後に行われる第２の単位領域への記録における前記第２の使用率が低くなるように前記第２の使用率を決定することを特徴とする画像処理方法。
【請求項１０】
前記記録ヘッドおよび前記記録媒体は、前記交差方向を往方向、前記交差方向の逆の方向を復方向として相対的に往復移動することを特徴とする請求項９に記載の画像処理方法。
【請求項１１】
前記交差方向への同一の相対移動において、前記第１の単位領域への記録における前記第１の使用率より前記第２の単位領域への記録における前記第１の使用率が高くなるように前記第１の使用率を決定することを特徴とする請求項１０に記載の画像処理方法。
【請求項１２】
前記記録ヘッドは、前記所定方向に連続する所定数の前記第１の吐出口と、前記所定方向に連続する所定数の前記第２の吐出口とが交互に配列された前記吐出口列を有することを特徴とする請求項９から１１のいずれか１項に記載の画像処理方法。
【請求項１３】
前記記録ヘッドおよび前記記録媒体は、前記記録ヘッドが前記記録媒体上の前記交差方向における一方の端部の前記単位領域に記録可能な位置から前記記録ヘッドが前記記録媒体上の前記交差方向における他方の端部の前記単位領域に記録可能な位置まで相対的に移動することを特徴とする請求項９から１２のいずれか１項に記載の画像処理方法。
【請求項１４】
前記記録媒体上の前記交差方向における前記他方の端部の前記単位領域への記録における前記第１の使用率と前記第２の使用率が等しいことを特徴とする請求項１３に記載の画像処理方法。
【請求項１５】
前記記録ヘッドは、インクを吐出するための熱を発生する発熱部を備え、
前記発熱部が発生させた熱によって前記吐出口から前記インクを吐出することを特徴とする請求項９から１４のいずれか１項に記載の画像処理方法。
【請求項１６】
前記記録ヘッドは、前記交差方向への同一の相対移動において、前記第１の単位領域に記録を行う際の温度より、前記第２の単位領域に記録を行う際の温度が高いことを特徴とする請求項９から１５のいずれか１項に記載の画像処理方法。
【請求項１７】
請求項９から１６のいずれか１項に記載の画像処理方法を実行するために使用することを特徴とするプログラム。
【手続補正２】
【補正対象書類名】明細書
【補正対象項目名】発明の名称
【補正方法】変更
【補正の内容】
【発明の名称】画像処理装置、画像処理方法およびプログラム
【手続補正３】
【補正対象書類名】明細書
【補正対象項目名】０００１
【補正方法】変更
【補正の内容】
【０００１】
本発明は、インクを吐出するノズルを高密度に配列してなるノズル列を有するインクジェット記録ヘッドを用いて、記録媒体上に画像を記録する画像処理装置、画像処理方法およびプログラムに関する。
【手続補正４】
【補正対象書類名】明細書
【補正対象項目名】０００７
【補正方法】変更
【補正の内容】
【０００７】
よって本発明は、濃度ムラが現れることなく記録することができる画像処理装置、画像処理方法およびプログラムを提供することを目的とする。
【手続補正５】
【補正対象書類名】明細書
【補正対象項目名】０００８
【補正方法】変更
【補正の内容】
【０００８】
そのため本発明の画像処理装置は、インクを吐出する複数の吐出口が所定方向に配列された吐出口列を有する記録ヘッドと記録媒体とを前記所定方向と交差する交差方向に相対的に移動させながら、第１の吐出口を使用する比率である第１の使用率と前記第１の吐出口と異なる第２の吐出口を使用する比率であり、前記第１の使用率より高い第２の使用率とに従って前記第１および第２の吐出口から同じ色のインクを吐出することにより単位領域に画像を記録するための前記使用率を決定する画像処理装置であって、
前記交差方向への同一の前記相対移動において、第１の単位領域への記録における前記第２の使用率より前記第１の単位領域への記録より後に行われる第２の単位領域への記録における前記第２の使用率が低くなるように前記第２の使用率を決定することを特徴とする。
【手続補正６】
【補正対象書類名】明細書
【補正対象項目名】０００９
【補正方法】変更
【補正の内容】
【０００９】
また、本発明の画像処理方法は、インクを吐出する複数の吐出口が所定方向に配列された吐出口列を有する記録ヘッドと記録媒体とを前記所定方向と交差する交差方向に相対的に移動させながら、第１の吐出口を使用する比率である第１の使用率と前記第１の吐出口と異なる第２の吐出口を使用する比率であり、前記第１の使用率より高い第２の使用率とに従って前記第１および第２の吐出口から同じ色のインクを吐出することにより単位領域に画像を記録するための前記使用率を決定する画像処理方法であって、前記交差方向への同一の前記相対移動において、第１の単位領域への記録における前記第２の使用率より前記第１の単位領域への記録より後に行われる第２の単位領域への記録における前記第２の使用率が低くなるように前記第２の使用率を決定することを特徴とする。
また、本発明のプログラムは、上記画像処理方法を実行するために使用することを特徴とする。
【手続補正７】
【補正対象書類名】明細書
【補正対象項目名】００１０
【補正方法】変更
【補正の内容】
【００１０】
本発明によれば、画像処理装置は、交差方向への同一の前記相対移動において、第１の単位領域への記録における第２の使用率より第１の単位領域への記録より後に行われる第２の単位領域への記録における第２の使用率が低くなるように第２の使用率を決定する。これによって、濃度ムラが現れることなく記録することができる画像処理装置を提供することができる。
【手続補正８】
【補正対象書類名】明細書
【補正対象項目名】００３１
【補正方法】変更
【補正の内容】
【００３１】
このように、複数パス記録で低記録率領域と高記録率領域とを有するマスクパターンを用いて行う記録において、記録画像の左右両端部における高記録率領域と低記録率領域の記録率の差がなくなるように段階的に記録率を変える。これによって、濃度ムラが現れることなく記録することができる画像処理装置、画像処理方法およびプログラムを実現することができた。